(57)【要約】【課題】  本発明は、長寿命かつ軽量で、防水性に優れ、さらに、吊下ロープへの負担軽減を図ることができる、魚倉用のＬＥＤ式水中灯を提供することを目的とする。【解決手段】  魚倉用のＬＥＤ式水中灯１は、複数のＬＥＤ発光素子を有する棒状のＬＥＤ灯と、当該ＬＥＤ灯に接続された電源ケーブル６の一部とが、水密性が確保された筒状本体２の内側に収納されているＬＥＤ式水中灯であって、筒状本体２が透光性のある材質から構成されており、筒状本体２がフレーム３に固定されており、フレーム３の一端に回転自在の連結具５が取り付けられており、連結具５が回転する際の中心軸線と筒状本体２をなす筒の中心軸線とが平行関係にあることを特徴としている。【選択図】  図１
2015053157.tif 000002
【特許請求の範囲】
【請求項１】
複数のＬＥＤ発光素子を有する棒状のＬＥＤ灯と、当該ＬＥＤ灯に接続された電源ケーブルの一部とが、水密性が確保された筒状本体の内側に収納されているＬＥＤ式水中灯であって、前記筒状本体が透光性のある材質から構成されており、前記筒状本体がフレームに固定されており、当該フレームの一端に回転自在の連結具が取り付けられており、当該連結具が回転する際の中心軸線と前記筒状本体をなす筒の中心軸線とが平行関係にあることを特徴とする、魚倉用のＬＥＤ式水中灯。
【請求項２】
前記筒状本体が二本並列に配置されていることを特徴とする魚倉用のＬＥＤ式水中灯。
【発明の詳細な説明】
【技術分野】
【０００１】
本発明は、魚倉用のＬＥＤ式水中灯に関する。
【背景技術】
【０００２】
カツオ一本釣漁船等においては、活餌となるカタクチイワシ等の魚を入れておく、魚倉と呼ばれる水槽が設置されている。そして、海水が張られた魚倉に、生きたまま入れられたカタクチイワシ等の魚は、カツオ等の魚群を漁船の周囲に集めるため、活餌として、適宜、漁場の海に撒かれて使用されている。
【０００３】
魚倉に入れられた魚は、活餌として使用されるため、当然ながら活きの良さが必要となる。しかしながら、魚倉に魚を単に入れたままとしておくと、光に向かおうとする魚の性質によって、魚がすべて魚倉の上層に密集してしまい、これにより、魚倉上層水中の酸素が欠乏し、魚の活性が失われてしまったり、魚が酸欠死してしまうという問題があった。
【０００４】
このため、従来より、図２に示したように、防水構造を有する水中灯２１を、魚倉２２の水中内に入れて、魚倉２２内の中心付近を明るくすることによって、魚が上層部ではなく、中心付近に集まるようにし、魚倉２２の上層水中における酸素の欠乏を防止する対策が取られてきた。なお、このように、魚倉２２内に水中灯２１を入れると、魚倉２２内の魚は、その性質により、水中灯２１を中心として、その周囲を回りながら泳ぐことが知られている。
【０００５】
ここで、図２において、２３は、水中灯２１を上部から吊り下げるための吊下ロープ、２４は、水中灯２１の電源ケーブル、２５は、水中灯２１の光源となる蛍光灯を収納している筒状本体、２６は、水中灯２１の下端を魚倉２２の底に固定するための固定ロープを、それぞれ示している。なお、図２に示したように、従来より、魚倉２２内の明るさを確保するため、水中灯２１については、二本使用することが一般的となっている。
【０００６】
しかしながら、従来の水中灯２１においては、その光源として蛍光灯を使用しているため、ある程度の時間を使用すると、寿命により、その明るさが低下してしまい、魚倉の内部よりも魚倉の上側の方が明るくなり、魚がすべて魚倉の上層に密集し、魚の活性が低下し、場合によっては、魚が酸欠死してしまうこともあるという問題があった。
【０００７】
また、従来の水中灯２１においては、筒状本体２５の端部が、一般的に、ねじ式の蓋２７によって構成されているため、魚倉２２内の魚が、水中灯２１の周囲を回りながら泳ぐと、その水流によってねじ式の蓋２７が緩み、水中灯２１の防水性が損なわれて浸水し、水中灯２１が消えてしまったり、最悪のケースでは、水中灯２１が破損してしまうという問題もあった。
【０００８】
さらに、従来の水中灯２１においては、吊下ロープ２３を、直接、水中灯２１に取り付けて使用するため、魚倉２２内の魚が、水中灯２１の周囲を回りながら泳ぐことによって、水中灯２１が回動し、これにより吊下ロープ２３に相応の負荷が生じてしまい、最悪のケースでは、吊下ロープ２３の断裂によって、水中灯２１が落下し、これにより水中灯２１が破損してしまうという問題もあった。
【０００９】
また、魚倉２２は、活餌となる魚の使用後は、捕獲した魚の保冷庫としても使用する必要があるため、足場の不安定な航海中の漁船内において、水中灯２１を魚倉２２から頻繁に出し入れする必要があり、漁船員の負担軽減を図るため、水中灯２１を少しでも軽量化することが従来より要求されていた。
【００１０】
本願発明者は、このような実情のもと、以上の問題を解決することができる方法や手段について鋭意検討を重ねた。その結果、本願発明者は、魚倉用の水中灯の光源として、ＬＥＤ灯を使用すると共に、当該ＬＥＤ灯を内側に収納する筒状本体の一端に、回転自在の連結具を取り付けることによって、以上のような問題を解決することができるという知見を得、本発明を創作するに至った。
【００１１】
なお、本発明を出願するにあたって、本願発明者及び出願人において過去の特許文献等を調査したところ、漁業用の水中灯に関し、下記の文献を発見することができたが、本発明に係る技術的思想等を詳述した特許文献については発見することができなかった。
【先行技術文献】
【特許文献】
【００１２】
【特許文献１】特許第３２９６９２７号公報
【発明の概要】
【発明が解決しようとする課題】
【００１３】
本発明は、長寿命かつ軽量で、防水性に優れ、さらに、吊下ロープへの負担軽減を図ることができる、魚倉用のＬＥＤ式水中灯を提供することを目的とする。
【課題を解決するための手段】
【００１４】
そのための手段として、本発明に係る魚倉用のＬＥＤ式水中灯は、複数のＬＥＤ発光素子を有する棒状のＬＥＤ灯と、当該ＬＥＤ灯に接続された電源ケーブルの一部とが、水密性が確保された筒状本体の内側に収納されているＬＥＤ式水中灯であって、前記筒状本体が透光性のある材質から構成されており、前記筒状本体がフレームに固定されており、当該フレームの一端に回転自在の連結具が取り付けられており、当該連結具が回転する際の中心軸線と前記筒状本体をなす筒の中心軸線とが平行関係にあることを特徴としている。
【００１５】
また、本発明に係る魚倉用のＬＥＤ式水中灯は、前記筒状本体が二本並列に配置されていることも特徴としている。
【発明の効果】
【００１６】
本発明によれば、長寿命かつ軽量で、防水性に優れ、さらに、吊下ロープへの負担軽減を図ることができる、魚倉用のＬＥＤ式水中灯を提供することができる。
【図面の簡単な説明】
【００１７】
【図１】本発明のＬＥＤ式水中灯１の外観図
【図２】従来の水中灯２１の使用例を示した図
【発明を実施するための形態】
【００１８】
以下、本発明に係る魚倉用のＬＥＤ式水中灯を実施するための形態について説明する。図１は、本実施形態に係るＬＥＤ式水中灯１を示した図である。ＬＥＤ式水中灯１は、図示されているように、基本的に、並列に配置された二本の筒状本体２，２、フレーム３、筒状本体２とフレーム３とを固定する複数の固定具４、フレーム３の一端に取り付けられた連結具５、及び、電源ケーブル６から構成されている。
【００１９】
なお、筒状本体２は、透明なプラスチック等、透光性のある材質から構成されている。また、筒状本体２の内側には、複数のＬＥＤ発光素子を有する棒状のＬＥＤ灯（図示せず）と、当該ＬＥＤ灯に接続された電源ケーブル６の一部とが、水密性が確保されるように筒状本体２の内側に収納されている。具体的には、筒状本体２の両端を、プラスチック製の防水キャップ７によって蓋をし、当該蓋の一方の中心において電源ケーブル６が通る孔については、防水シールによる処理を行い水密性を確保している。
【００２０】
また、連結具５は、釣り道具のスイベル（サルカン）と同じ構造をしており、図示されているように、連結具５が回転する際の中心軸線と、筒状本体２をなす筒の中心軸線とが平行関係となるように、フレーム３の一端に固定されている。
【００２１】
以上のような構成をしたＬＥＤ式水中灯１は、光源として、蛍光灯では無くＬＥＤ灯を使用しているので、従来のものよりも、寿命が非常に長く、その明るさが低下することが無い。また、その明るさについても、従来の水中灯二本（蛍光灯二本）分の明るさよりも、約１．６倍は明るい。さらに、その重さについても、非常に軽量となっている。一般的な従来の水中灯は、２本で約４ｋｇ程度の重量があったが、本実施形態に係るＬＥＤ式水中灯１であれば、１．５ｋｇ程度の重量で提供することができる。
【００２２】
また、本実施形態に係るＬＥＤ式水中灯１では、筒状本体２の両端が、プラスチック製の防水キャップ７によって蓋がされており、ねじ式の蓋を使用していない。そのため、ＬＥＤ式水中灯１を使用した場合、魚倉内の魚がＬＥＤ式水中灯１の周囲を回るように泳いでも、その水流によって蓋が緩んで取れることが無く、ＬＥＤ式水中灯１の防水性が損なわれて浸水し、ＬＥＤ式水中灯１が消えてしまったり、ＬＥＤ式水中灯１が破損してしまうということも無い。
【００２３】
さらに、本実施形態に係るＬＥＤ式水中灯１は、連結具５に吊下ロープを取り付けるので、魚倉内の魚が、ＬＥＤ式水中灯１の周囲を回りながら泳ぎ、その水流によって、ＬＥＤ式水中灯１が回動しても、連結具５が、その回動の動きを吸収することになるので、連結具５に取り付けられた吊下ロープに対して、ＬＥＤ式水中灯１の回動による負荷が生じることも無い。
【産業上の利用可能性】
【００２４】
以上に説明したように、本発明によれば、長寿命かつ軽量で、防水性に優れ、さらに、吊下ロープへの負担軽減を図ることができる、魚倉用のＬＥＤ式水中灯を提供することができる。
【符号の説明】
【００２５】
１  ：ＬＥＤ式水中灯、
２  ：筒状本体、
３  ：フレーム、
４  ：固定具、
５  ：連結具、
６  ：電源ケーブル、
７  ：防水キャップ、
２１：水中灯、
２２：魚倉、
２３：吊下ロープ、
２４：電源ケーブル、
２５：筒状本体、
２６：固定ロープ、
２７：ねじ式の蓋
【図１】
2015053157.tif 000003
【図２】
2015053157.tif 000004